(57)【要約】【課題】  自らのスウィングを、他の人の助けを必要とすることなく、客観的に確認でき、効率よく、理想のスウィングフォームへ矯正することができるスウィング練習装置とその方法を提供し、さらに、スウィング練習をしながら、遠隔地にいる指導者から、スウィングの指導を受けられるスウィング練習方法を提供することを目的とする。【解決手段】  練習者Ｕがゴルフクラブ１をスウィングする動作を撮影するカメラ部２を有する画像入力装置３と、練習者Ｕのスウィングの動作の画像を表示する画像表示装置６と、を備える。さらに、録画再生装置４の録画開始，再生等を、練習者Ｕのゴルフクラブ１のヘッド１ａにて択一的に選択する操作パネル体９が、練習者Ｕの立ち位置Ｐの近傍に設置される。さらに、練習者Ｕが、遠隔地にいる指導者から、音声画像送受信手段によって指導を受けられる。【選択図】  図１
2006068231.tif 000002
【特許請求の範囲】
【請求項１】
練習者（Ｕ）がゴルフクラブ（１）をスウィングする動作を撮影するカメラ部（２）を有する画像入力装置（３）と、該画像入力装置（３）が撮影した映像を録画・再生する録画再生装置（４）と、該録画再生装置（４）の再生により上記練習者（Ｕ）のスウィングの動作の画像を表示する画像表示装置（６）と、を備え、
さらに、上記練習者（Ｕ）がスウィング練習する立ち位置（Ｐ）の近傍に設置され、上記録画再生装置（４）の録画開始，再生等を、上記練習者（Ｕ）の上記ゴルフクラブ（１）のヘッド（１ａ）にて択一的に選択する操作パネル体（９）を、備えたことを特徴とするスウィング練習装置。
【請求項２】
ゴルフボール載置部（18）の下方に設けられて上記ゴルフボール（19）の有無を感知する重さ感知センサ（７）を、備え、
該重さ感知センサ（７）が、上記ゴルフボール（19）がショットされて上記載置部（18）上から上記ゴルフボール（19）が飛去されたことを感知してから所定秒後に、上記録画再生装置（４）の録画が停止するように構成された請求項１記載のスウィング練習装置。
【請求項３】
上記画像入力装置（３）が、上記練習者（Ｕ）を正面から撮影する正面撮影装置（31）と、上記練習者（Ｕ）を斜め横方向から撮影する斜め方向撮影装置（32）と、上記載置部（18）の正面に配設され上記ゴルフクラブ（１）のヘッド（１ａ）が上記ゴルフボール（19）をショットする場面をアップして撮影するインパクト撮影装置（33）とを、有する請求項１又は２記載のスウィング練習装置。
【請求項４】
上記練習者（Ｕ）の身長に応じて、上記画像入力装置（３）が撮影した上記練習者（Ｕ）を、上記画像表示装置（６）のモニター（５）の中央に適切なサイズで表示するように制御する出力画像自動調整装置（８）を、備えた請求項１，２又は３記載のスウィング練習装置。
【請求項５】
練習者（Ｕ）が、立ち位置（Ｐ）の近傍に配設された操作パネル体（９）を、握ったゴルフクラブ（１）のヘッド（１ａ）にて、切換操作して、画像入力装置（３）のカメラ部（２）をＯＮにし、
上記ゴルフクラブ（１）のスウィング動作を撮影し、その映像を録画再生装置（４）で録画して、
その後、上記練習者（Ｕ）は、立ち位置（Ｐ）の近傍に設置された画像表示装置（６）を観て、スウィング動作を、確認することを特徴とするスウィング練習方法。
【請求項６】
ゴルフボール載置部（18）の下方に設けられ該載置部（18）上のゴルフボール（19）の有無を感知する重さ感知センサ（７）が、上記ゴルフボール（19）がショットされて上記載置部（18）上から該ゴルフボール（19）が飛去されたことを、感知し、その所定秒後に、上記録画再生装置（４）の録画が停止する請求項５記載のスウィング練習方法。
【請求項７】
練習者（Ｕ）が、画像入力装置（３）のカメラ部（２）でゴルフクラブ（１）のスウィング動作を撮影して、
音声画像送受信手段（20）によって、遠隔地にいる指導者（Ｔ）に、上記画像入力装置（３）が撮影したスウィング動作の画像を送信すると共に、上記練習者（Ｕ）に、上記指導者（Ｔ）が行う矯正指導の音声・画像を送信して上記画像表示装置（６）に表示することを特徴とするスウィング練習方法。
【発明の詳細な説明】
【技術分野】
【０００１】
本発明は、ゴルフクラブのスウィング練習用の装置とその方法に関するものである。
【背景技術】
【０００２】
従来のゴルフスウィングの練習装置として、実際の眼前の風景を見ることのできるハーフミラーの映像とビデオ映像とを同時に見ることができる映像表示部を有する練習補助装置を、練習者の頭部に取付け、練習者が、ハーフミラーを通して眼前のボールをショットする際に、同時に、正面乃至側面に設置したビデオカメラで撮影した自分のスウィング動作を、映像表示部で見て、スウィングの練習をするスウィング練習装置が知られている（例えば、特許文献１参照）。
【特許文献１】特開平１０−１２７８５０号公報
【発明の開示】
【発明が解決しようとする課題】
【０００３】
この従来のスウィング練習装置は、頭部に機械を取付けるので、スウィングの邪魔になって、実際のコース等で行うようなスムースなスウィングとはかけ離れたスウィングになってしまう。
また、スウィングする際に、客観的に見た（ビデオカメラで撮影した）自分のスウィング動作が視界に入るので、その映像に意識が集中してしまい、実際にショットしようとしているボール，握っているゴルフクラブに意識を集中させることが困難となり、スウィングのフォームが崩れてしまう虞れがある。
【０００４】
そこで、本発明は、本来の自らのスウィングのフォームを崩すことなくスウィングの練習ができ、しかも、自らのスウィングを、他の人の助けを必要とすることなく、客観的に確認でき、効率よく、理想のスウィングフォームへ矯正することができるスウィング練習装置とその方法を提供することを目的とする。
さらに、遠隔地にいる指導者から、リアルタイムで、スウィングの指導を受けられるスウィング練習方法を提供することを、他の目的とする。
【課題を解決するための手段】
【０００５】
上記の目的を達成するために、本発明に係るスウィング練習装置は、練習者がゴルフクラブをスウィングする動作を撮影するカメラ部を有する画像入力装置と、該画像入力装置が撮影した映像を録画・再生する録画再生装置と、該録画再生装置の再生により上記練習者のスウィングの動作の画像を表示する画像表示装置と、を備え、さらに、上記練習者がスウィング練習する立ち位置の近傍に設置され、上記録画再生装置の録画開始，再生等を、上記練習者の上記ゴルフクラブのヘッドにて択一的に選択する操作パネル体を、備えたものである。
【０００６】
また、ゴルフボール載置部の下方に設けられて上記ゴルフボールの有無を感知する重さ感知センサを、備え、該重さ感知センサが、上記ゴルフボールがショットされて上記載置部上から上記ゴルフボールが飛去されたことを感知してから所定秒後に、上記録画再生装置の録画が停止するように構成されている。
【０００７】
また、上記画像入力装置が、上記練習者を正面から撮影する正面撮影装置と、上記練習者を斜め横方向から撮影する斜め方向撮影装置と、上記載置部の正面に配設され上記ゴルフクラブのヘッドが上記ゴルフボールをショットする場面をアップして撮影するインパクト撮影装置とを、有する。
【０００８】
また、上記練習者の身長に応じて、上記画像入力装置が撮影した上記練習者を、上記画像表示装置のモニターの中央に適切なサイズで表示するように制御する出力画像自動調整装置を、備えている。
【０００９】
また、本発明に係るスウィング練習方法は、練習者が、立ち位置の近傍に配設された操作パネル体を、握ったゴルフクラブのヘッドにて、切換操作して、画像入力装置のカメラ部をＯＮにし、上記ゴルフクラブのスウィング動作を撮影し、その映像を録画再生装置で録画して、その後、上記練習者は、立ち位置の近傍に設置された画像表示装置を観て、スウィング動作を、確認するものである。
【００１０】
また、ゴルフボール載置部の下方に設けられ該載置部上のゴルフボールの有無を感知する重さ感知センサが、上記ゴルフボールがショットされて上記載置部上から該ゴルフボールが飛去されたことを、感知し、その所定秒後に、上記録画再生装置の録画が停止する。
【００１１】
また、練習者が、画像入力装置のカメラ部でゴルフクラブのスウィング動作を撮影して、音声画像送受信手段によって、遠隔地にいる指導者に、上記画像入力装置が撮影したスウィング動作の画像を送信すると共に、上記練習者に、上記指導者が行う矯正指導の音声・画像を送信して上記画像表示装置に表示する。
【発明の効果】
【００１２】
本発明は、次のような著大な効果を奏する。
練習者は、自分のスウィングを、画像入力装置で撮影し、すぐに、そのスウィング動作を画像表示装置で確認することができるので、効果的にスウィングの矯正を行うことができる。
しかも、練習者は、同じ立ち位置を移動することなく、構えた姿勢を崩さずに、ゴルフクラブのヘッドにて操作パネル体を操作できるので、一人で（他の人の助けを必要とせずに、）撮影、画像保存、再生（あるいは印刷等）を、容易、かつ、即時に行うことができ、練習効率が上昇する。
【００１３】
また、指導者が、練習者から離れた遠隔地にいても、練習者は、音声画像送受信手段によって、スウィング練習をしながら、リアルタイムで、指導者に観てもらい、そして、画像入力装置で、アドバイスや矯正指導を受けることができる。このように、指導者が、練習者の練習場所へ移動しなくても、指導を行うことが可能となる。
【発明を実施するための最良の形態】
【００１４】
以下、実施の形態を示す図面に基づき、本発明を詳説する。
図１，図２に示すように、本発明に係るスウィング練習装置は、練習者Ｕがゴルフクラブ１をスウィングする動作を撮影するカメラ部２を有する画像入力装置３と、画像入力装置３が撮影した映像を録画・再生する録画再生装置４と、録画再生装置４の再生により練習者Ｕのスウィングの動作の画像を表示する画像表示装置６と、を備える。
この練習装置は、家の庭等、広く、平坦な場所に設置されるのが望ましい。
【００１５】
画像入力装置３は、練習者Ｕがスウィング練習する立ち位置Ｐの正面に設置されて正面から撮影する正面撮影装置31と、練習者Ｕを斜め横方向から撮影する斜め方向撮影装置32と、を有する。
正面撮影装置31，斜め方向撮影装置32は、夫々、地面に立設された縦長状ケーシング35と、立ち位置Ｐに立った練習者Ｕの身長を判定して縦長ケーシング35内を上下動するカメラ部２と、を備える。
このカメラ部２は、前部に、練習者Ｕの身長を認識して判定すると共に位置確認をする身長認識センサ２ａを、有する、高速録画機能、及び、自動焦点あわせ機能付カメラである。
身長認識センサ２ａは、赤外線センサ，位置確認センサ等を有し、練習者Ｕの身長（背の高さ）を検知すると、カメラ部２は、ケーシング35内において、図示省略の昇降装置によって、最適な高さ位置に上下動する。
なお、図例では、斜め方向撮影装置32が、１台のみ設置されているが、前斜め方向や、後ろ斜め方向等から撮影する、複数台の撮影装置32…が、設置されてもよい。
【００１６】
また、画像入力装置３は、（立ち位置Ｐの正面近傍に設けられる）ゴルフボール載置部18の正面に配設され、ゴルフクラブ１のヘッド１ａがゴルフボール19をショットする場面をアップして撮影するインパクト撮影装置33を、有する。
インパクト撮影装置33は、地面Ｇ上に設置される小型箱体状ケーシング37内に収納される。
【００１７】
また、ゴルフボール載置部18は、常時、載置部18及び載置されるゴルフボール19を、同一方向から撮影するように、ケーシング37と連結棒体で連結されている。
また、ゴルフボール載置部18は、地面Ｇとの間に空間を有するように、配設されており、載置部18の下方に、載置部18上のゴルフボール19の有無を感知する重さ感知センサ７が、設けられている（図５参照）。
なお、重さ感知センサ７が、ゴルフボール載置部18の下方に、一体状に形成されてもよい。
【００１８】
録画再生装置４は、正面撮影装置31のケーシング35内の下方に設けられ、（後述する）一連の録画、保存、コマ送り出力、印刷、転送作業をスイッチの操作のみで連続操作可能とする、プログラムを組み込んだＩＣ基板を有するハードディスクを、備えている。
そして、録画再生装置４は、撮影装置31，32，33、及び、重さ感知センサ７と、夫々、ケーブル23…によって、電気的に接続される。あるいは、図示省略するが、録画再生装置４は、ケーシング内に収納されて、画像入力装置３…の近傍に、設置されてもよい。
【００１９】
また、スウィング練習装置は、立ち位置Ｐに立った練習者Ｕの身長を判定して、画像入力装置３が撮影した練習者Ｕの画像を、画像表示装置６のモニター５の中央に適切なサイズに絞り込んで表示する出力画像自動調整装置８を、備えている。
出力画像自動調整装置８は、練習者Ｕの身長にあわせて、画像の出力領域の大きさを換えるソフトを、ＩＣチップ上に内蔵したもので、夫々の画像入力装置３…内に、収納される。
【００２０】
また、立ち位置Ｐの近傍に、録画再生装置４の録画開始，再生等を、練習者Ｕのゴルフクラブ１のヘッド１ａにて択一的に選択する操作パネル体９が、設置され、操作パネル体９は、録画再生装置４に、ケーブル23によって、電気的に接続される。
操作パネル体９は、細長帯板形状の本体部の上面に、ゴルフクラブ１のヘッド１ａにて押して操作可能な大きさ（広さ）を有する複数の操作スイッチ盤10…が、並列状に設けられたものである。
具体的には、操作スイッチ盤10…は、図３に示すように、録画スイッチ11，再生スイッチ12，コマ送りスイッチ13，リピートスイッチ14，転送スイッチ15，スクールスイッチ16，印刷スイッチ17を、有する。
【００２１】
コマ送りスイッチ13は、撮影した画像を、画像表示装置６のモニター５に、コマ送りにして分割表示するためのものである。また、リピートスイッチ14は、撮影した画像を、繰り返して表示するためのものである。また、印刷スイッチ17は、コマ送り画像を、図示省略の印刷機で、紙に印刷するためのものである。
転送スイッチ15は、（後述するように、）撮影した画像を、電子メールで転送可能な画像方式に自動変換し、インターネットサーバーを通じて、インターネット経由で、自分の電子メールアドレス（携帯電話メールも含む）に転送するためのものである。そして、後で、家のパソコン等で、自分のスウィング動作を、確認できる。
さらに、スクールスイッチ16は、撮影した画像を、遠隔地にいる指導者Ｔに転送し、スウィング矯正指導を仰ぐためのものである。なお、モニター５は、液晶パネルから成るのが望ましい。
【００２２】
そして、スクールスイッチ16による転送を可能とするために、図１，図６に於て、スウィング練習装置は、画像入力装置３が撮影したスウィング動作の画像を、遠隔地にいる指導者Ｔ側に送信すると共に、指導者Ｔが行う矯正指導の音声・画像を、練習者Ｕ側に送信する音声画像送受信手段20が、備えられる。
具体的には、音声画像送受信手段20は、録画再生装置４に取り付けられ撮影した画像を送信するアンテナ21と、画像・音声を送信する通信網22と、を有する。通信網22は、例えば、電話回線である。
遠隔地にいる指導者Ｔの近傍に、（練習者Ｕ側に設けられたものと同様の）画像表示装置６，画像入力装置３，送受信用アンテナ等が、設けられ、指導者Ｔは、画像入力装置３で、練習者Ｕのスウィング動作を観て、電話回線を通じて、アドバイスを与える。
【００２３】
さらに、練習者Ｕと指導者Ｔとの間で、画像・音声の交換を同時に行うことを可能にする双方向画像音声交換手段25を、設けてもよい。この双方向画像音声交換手段25によって、練習者Ｕを撮影した画像，音声が、アンテナ21から、通信網22を介して、指導者Ｔ側のアンテナで受信され、指導者Ｔ側の画像表示装置６に表示される。かつ、それを観た指導者Ｔが、スウィング等の矯正指導を撮影し、その画像，音声が、電話回線等の通信網22を介して、練習者Ｕ側のアンテナ21で受信され、画像表示装置６に表示される。
【００２４】
次に、本発明のスウィング練習装置の使用方法について説明する。
先ず、図１，図２に於て、練習者Ｕは、載置部18にゴルフボール19を載置（セット）し、立ち位置Ｐに立ち、ゴルフクラブ１のヘッド１ａにて、操作パネル体９の録画スイッチ11を押す。
すると、正面撮影装置31，斜め方向撮影装置32のカメラ部２…が、ＯＮとなって、身長認識センサ２ａによって、練習者Ｕの身長，立ち位置に応じて、練習者Ｕを、画像の中央で、適切なサイズでとらえて、録画を開始する。かつ、インパクト撮影装置33が、クラブ１のヘッド１ａがボール19をショットする場面を、アップして撮影を開始する。
【００２５】
そして、ボール19がショットされて、載置部18の下方の重さ感知センサ７が、ボール19が載置部18から飛去したことを感知すると、制御信号が、感知センサ７から、ケーブル23を介して、録画再生装置４に送信されて、所定秒後に、録画が停止する。
そして、ゴルフクラブ１のヘッド１ａにて、操作パネル体９の再生スイッチ12を押すと、画像表示装置６に、スウィング動作の画像が表示される。
所望により、コマ送りスイッチ13を押して、画像表示装置６に、スウィング動作をコマ送りした画像を表示したり、リピートスイッチ14を押して、繰り返し表示する。
また、印刷スイッチ17を押すと、図示省略の印刷機によって、紙に、コマ送り画像が印刷され、スウィング動作を、確認できる。
【００２６】
図示省略するが、操作パネル体９に、画像表示装置６の表示を、夫々の画像入力装置３…に、切換える操作スイッチ盤10…を、設ける。
これにより、画像表示装置６に、撮影装置33で撮影したゴルフクラブ１のヘッド１ａがゴルフボール19をショットする場面のアップ表示（図４参照）と、正面からのスウィング画像と、様々な斜め方向からのスウィング画像と、を択一的に選択して表示することができる。
【００２７】
また、録画停止後に、クラブ１のヘッド１ａで転送スイッチ15を押すと、録画した画像，音声のデータが、電子メールで転送可能な画像方式に変換され、インターネットサーバーを通じて、インターネット経由で、自分の電子メールアドレスに転送され、家のパソコン等で、自分のスウィング動作を確認することができる。
【００２８】
また、録画停止後に、クラブ１のヘッド１ａでスクールスイッチ16を押すと、録画したスウィング画像が、練習者Ｕ側の録画再生装置４から、通信網22を介して、遠隔地にいる指導者Ｔ側の画像表示装置６に表示される（図６参照）。
そして、双方向画像音声交換手段25によって、練習者Ｕのスウィング画像を観た指導者Ｔは、画像入力装置３で、自分のスウィング動作及び音声指導を撮影・収録し、通信網22を介して、練習者Ｕ側へ送信して、画像表示装置６に表示される。練習者Ｕは、画像表示装置６の画像を観ると共に、アドバイスを聴いて、自分のスウィングの向上を図る。
このように、互いに遠隔地同士に居る練習者Ｕと指導者Ｔの間で、音声画像送受信手段20によって、リアルタイムでのスウィングの指導が可能となる。
なお、複数の練習者Ｕ…が、通信網22に接続することで、一人の指導者Ｔが、複数の練習者Ｕ…に、同時に、スウィングの指導を行うことができる。
また、所望により、プリペイドカード式の課金装置を、設けてもよい。
【００２９】
以上のように、本発明に係るスウィング練習装置は、練習者Ｕがゴルフクラブ１をスウィングする動作を撮影するカメラ部２を有する画像入力装置３と、画像入力装置３が撮影した映像を録画・再生する録画再生装置４と、録画再生装置４の再生により練習者Ｕのスウィングの動作の画像を表示する画像表示装置６と、を備え、さらに、練習者Ｕがスウィング練習する立ち位置Ｐの近傍に設置され、録画再生装置４の録画開始，再生等を、練習者Ｕのゴルフクラブ１のヘッド１ａにて択一的に選択する操作パネル体９を、備えているので、練習者Ｕは、自分のスウィングを、画像入力装置３で撮影し、すぐに、そのスウィング動作を画像表示装置６で確認することができ、効果的にスウィングの矯正を行うことができる。
しかも、練習者Ｕは、同じ立ち位置Ｐを移動することなく、構えた姿勢を崩さずに、ゴルフクラブ１のヘッド１ａにて操作パネル体９を操作できるので、一人で（他の人の助けを必要とせず、）撮影、画像保存、再生（あるいは印刷等）を、容易、かつ、即時に行うことができ、練習効率が上昇する。
【００３０】
また、スウィング練習装置は、ゴルフボール載置部18の下方に設けられてゴルフボール19の有無を感知する重さ感知センサ７を、備え、重さ感知センサ７が、ゴルフボール19がショットされて載置部18上からゴルフボール19が飛去されたことを感知してから所定秒後に、録画再生装置４の録画が停止するように構成されているので、アドレスに入ってから、スウィング動作が完全に終了するまでを、確実に録画することができる。しかも、その録画が自動的に停止するので、わざわざ操作して録画を停止させる必要がなく、手間が掛からない。
【００３１】
また、画像入力装置３が、練習者Ｕを正面から撮影する正面撮影装置31と、練習者Ｕを斜め横方向から撮影する斜め方向撮影装置32と、載置部18の正面に配設されゴルフクラブ１のヘッド１ａがゴルフボール19をショットする場面をアップして撮影するインパクト撮影装置33とを、有するので、スウィング動作を、正面、斜め方向、その他の方向から、同時に撮影することができ、スウィング動作が正しい姿勢で実施されているかどうかを、多面的に解析することが可能となる。よって、練習者Ｕが、自分のスウィングのイメージを捕らえ易くなり、スウィングの矯正が、効果的に行われるようになる。
さらに、ゴルフクラブ１のヘッド１ａが、ゴルフボール19に正しい角度・高さでショットしているのかも、確認することができ、一層のスウィング動作の矯正を図り得る。
【００３２】
また、スウィング練習装置は、練習者Ｕの身長に応じて、画像入力装置３が撮影した練習者Ｕを、画像表示装置６のモニター５の中央に適切なサイズで表示するように制御する出力画像自動調整装置８を、備えているので、スウィングする練習者Ｕを、常に、画像表示装置６のモニター５の中央に表示することが可能となり、最適な画像状態で閲覧・確認することができ、正しいスウィングの矯正を、効率よく行うことができる。
【００３３】
また、本発明に係るスウィング練習方法は、練習者Ｕが、立ち位置Ｐの近傍に配設された操作パネル体９を、握ったゴルフクラブ１のヘッド１ａにて、切換操作して、画像入力装置３のカメラ部２をＯＮにし、ゴルフクラブ１のスウィング動作を撮影し、その映像を録画再生装置４で録画して、その後、練習者Ｕは、立ち位置Ｐの近傍に設置された画像表示装置６を観て、スウィング動作を、確認するものなので、練習者Ｕは、自分のスウィングを、画像入力装置３で撮影し、その画像を、すぐに、画像表示装置６で確認することができ、効果的にスウィングの矯正を行うことができる。
しかも、練習者Ｕは、同じ立ち位置Ｐを移動することなく、構えた姿勢を崩さずに、ゴルフクラブ１のヘッド１ａにて操作パネル体９を操作できるので、一人で、撮影、画像保存、再生（あるいは印刷等）を、容易、かつ、即時に行うことができる。
【００３４】
また、ゴルフボール載置部18の下方に設けられ載置部18上のゴルフボール19の有無を感知する重さ感知センサ７が、ゴルフボール19がショットされて載置部18上からゴルフボール19が飛去されたことを、感知し、その所定秒後に、録画再生装置４の録画が停止するので、アドレスに入ってから、スウィング動作が完全に終了するまでを、確実に録画することができる。しかも、その録画が自動的に停止するので、わざわざ操作して録画を停止させる必要がなく、手間が掛からない。
【００３５】
さらに、練習者Ｕが、画像入力装置３のカメラ部２でゴルフクラブ１のスウィング動作を撮影して、音声画像送受信手段20によって、遠隔地にいる指導者Ｔに、画像入力装置３が撮影したスウィング動作の画像を送信すると共に、練習者Ｕに、指導者Ｔが行う矯正指導の音声・画像を送信して画像表示装置６に表示するので、指導者Ｔが、練習者Ｕから離れた遠隔地にいても、練習者Ｕは、スウィング練習をしながら、リアルタイムで、指導者Ｔに観てもらい、そして、画像入力装置３で、アドバイスや矯正指導を受けることができる。このように、指導者Ｔが、練習者Ｕの練習場所へ移動しなくても、指導を行うことが可能となる。
【図面の簡単な説明】
【００３６】
【図１】本発明に係るスウィング練習装置の実施の一形態を示す斜視図である。
【図２】平面図である。
【図３】操作パネル体を示す要部斜視図である。
【図４】画像表示装置を示す要部拡大説明図である。
【図５】要部側面図である。
【図６】説明用斜視図である。
【符号の説明】
【００３７】
１  ゴルフクラブ
１ａ  ヘッド
２  カメラ部
３  画像入力装置
４  録画再生装置
５  モニター
６  画像表示装置
７  感知センサ
８  出力画像自動調整装置
９  操作パネル体
18  載置部
19  ゴルフボール
20  音声画像送受信手段
31  正面撮影装置
32  斜め方向撮影装置
33  インパクト撮影装置
Ｐ  立ち位置
Ｔ  指導者
Ｕ  練習者
【図１】
2006068231.tif 000003
【図２】
2006068231.tif 000004
【図３】
2006068231.tif 000005
【図４】
2006068231.tif 000006
【図５】
2006068231.tif 000007
【図６】
2006068231.tif 000008
【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
練習者（Ｕ）がゴルフクラブ（１）をスウィングする動作を撮影するカメラ部（２）を有する画像入力装置（３）と、該画像入力装置（３）が撮影した映像を録画・再生する録画再生装置（４）と、該録画再生装置（４）の再生により上記練習者（Ｕ）のスウィングの動作の画像を表示する画像表示装置（６）と、ゴルフボール載置部（18）の下方に設けられてゴルフボール（19）の有無を感知する重さ感知センサ（７）と、を備え、
該重さ感知センサ（７）が、上記ゴルフボール（19）がショットされて上記載置部（18）上から上記ゴルフボール（19）が飛去されたことを感知してから所定秒後に、上記録画再生装置（４）の録画が停止するように構成され、
さらに、上記録画再生装置（４）による録画を開始する録画スイッチ（11）と、再生スイッチ（12）と、撮影した画像をコマ送りにして分割表示するコマ送りスイッチ（13）と、撮影した画像を繰り返して表示するリピートスイッチ（14）と、を有し、かつ、上記練習者（Ｕ）がスウィング練習する立ち位置（Ｐ）の近傍に設置されると共に該練習者（Ｕ）の上記ゴルフクラブ（１）のヘッド（１ａ）にて上記スイッチを択一的に選択する操作パネル体（９）を、備えたことを特徴とするスウィング練習装置。
【請求項２】
練習者（Ｕ）がゴルフクラブ（１）をスウィングする動作を撮影するカメラ部（２）を有する画像入力装置（３）と、該画像入力装置（３）が撮影した映像を録画・再生する録画再生装置（４）と、該録画再生装置（４）の再生により上記練習者（Ｕ）のスウィングの動作の画像を表示する画像表示装置（６）と、を備え、
さらに、上記録画再生装置（４）による録画を開始する録画スイッチ（11）と、再生スイッチ（12）と、撮影した画像をコマ送りにして分割表示するコマ送りスイッチ（13）と、撮影した画像を繰り返して表示するリピートスイッチ（14）と、撮影した画像を音声画像送受信手段（20）によって遠隔地にいる指導者（Ｔ）に転送してスウィング矯正指導を仰ぐためのスクールスイッチ（16）と、を有し、かつ、上記練習者（Ｕ）がスウィング練習する立ち位置（Ｐ）の近傍に設置されると共に該練習者（Ｕ）の上記ゴルフクラブ（１）のヘッド（１ａ）にて上記スイッチを択一的に選択する操作パネル体（９）を、備え、 上記画像表示装置（６）には、上記音声画像送受信手段（20）によって上記練習者（Ｕ）側に送信された上記矯正指導の音声・画像が表示されるように構成したことを特徴とするスウィング練習装置。
【請求項３】
上記画像入力装置（３）が、上記練習者（Ｕ）を正面から撮影する正面撮影装置（31）と、上記練習者（Ｕ）を斜め横方向から撮影する斜め方向撮影装置（32）と、上記載置部（18）の正面に配設され上記ゴルフクラブ（１）のヘッド（１ａ）が上記ゴルフボール（19）をショットする場面をアップして撮影するインパクト撮影装置（33）とを、有する請求項１又は２記載のスウィング練習装置。
【請求項４】
上記練習者（Ｕ）の身長に応じて、上記画像入力装置（３）が撮影した上記練習者（Ｕ）を、上記画像表示装置（６）のモニター（５）の中央に適切なサイズで表示するように制御する出力画像自動調整装置（８）を、備えた請求項１，２又は３記載のスウィング練習装置。
【請求項５】
練習者（Ｕ）の立ち位置（Ｐ）の近傍に操作パネル体（９）を配設し、握ったゴルフクラブ（１）のヘッド（１ａ）による該操作パネル体（９）の切換操作にて、画像入力装置（３）のカメラ部（２）をＯＮにし、
上記ゴルフクラブ（１）のスウィング動作を撮影し、その映像を録画再生装置（４）で録画し、
ゴルフボール載置部（18）の下方に設けられ該載置部（18）上のゴルフボール（19）の有無を感知する重さ感知センサ（７）にて、上記ゴルフボール（19）がショットされて上記載置部（18）上から該ゴルフボール（19）が飛去されたことを感知させて、その所定秒後に上記録画再生装置（４）の録画を停止し、
その後、上記練習者（Ｕ）の上記ゴルフクラブ（１）の上記ヘッド（１ａ）にて、上記操作パネル体（９）の再生スイッチ（12）と、撮影した画像をコマ送りにして分割表示する該操作パネル体（９）のコマ送りスイッチ（13）と、撮影した画像を繰り返して表示する該操作パネル体（９）のリピートスイッチ（14）と、を操作し、上記練習者（Ｕ）の立ち位置（Ｐ）の近傍に設置された画像表示装置（６）にて、スウィング動作を、確認することを特徴とするスウィング練習方法。
【請求項６】
練習者（Ｕ）の立ち位置（Ｐ）の近傍に操作パネル体（９）を配設し、握ったゴルフクラブ（１）のヘッド（１ａ）による該操作パネル体（９）の切換操作にて、画像入力装置（３）のカメラ部（２）をＯＮにし、
上記ゴルフクラブ（１）のスウィング動作を撮影し、その映像を録画再生装置（４）で録画し、
録画停止後、上記練習者（Ｕ）の上記ゴルフクラブ（１）の上記ヘッド（１ａ）にて、上記操作パネル体（９）の再生スイッチ（12）と、撮影した画像をコマ送りにして分割表示する該操作パネル体（９）のコマ送りスイッチ（13）と、撮影した画像を繰り返して表示する該操作パネル体（９）のリピートスイッチ（14）と、を操作し、上記練習者（Ｕ）の立ち位置（Ｐ）の近傍に設置された画像表示装置（６）にて、スウィング動作を、確認し、
さらに、上記ヘッド（１ａ）による上記操作パネル体（９）の切換操作に伴い、音声画像送受信手段（20）によって、遠隔地にいる指導者（Ｔ）に、上記画像入力装置（３）が撮影したスウィング動作の画像を送信すると共に、上記練習者（Ｕ）に、上記指導者（Ｔ）が行う矯正指導の音声・画像を送信して上記画像表示装置（６）に表示することを特徴とするスウィング練習方法。
【手続補正２】
【補正対象書類名】明細書
【補正対象項目名】全文
【補正方法】変更
【補正の内容】
【発明の詳細な説明】
【技術分野】
【０００１】
本発明は、ゴルフクラブのスウィング練習用の装置とその方法に関するものである。
【背景技術】
【０００２】
従来のゴルフスウィングの練習装置として、実際の眼前の風景を見ることのできるハーフミラーの映像とビデオ映像とを同時に見ることができる映像表示部を有する練習補助装置を、練習者の頭部に取付け、練習者が、ハーフミラーを通して眼前のボールをショットする際に、同時に、正面乃至側面に設置したビデオカメラで撮影した自分のスウィング動作を、映像表示部で見て、スウィングの練習をするスウィング練習装置が知られている（例えば、特許文献１参照）。
【特許文献１】特開平１０−１２７８５０号公報
【発明の開示】
【発明が解決しようとする課題】
【０００３】
この従来のスウィング練習装置は、頭部に機械を取付けるので、スウィングの邪魔になって、実際のコース等で行うようなスムースなスウィングとはかけ離れたスウィングになってしまう。
また、スウィングする際に、客観的に見た（ビデオカメラで撮影した）自分のスウィング動作が視界に入るので、その映像に意識が集中してしまい、実際にショットしようとしているボール，握っているゴルフクラブに意識を集中させることが困難となり、スウィングのフォームが崩れてしまう虞れがある。
【０００４】
そこで、本発明は、本来の自らのスウィングのフォームを崩すことなくスウィングの練習ができ、しかも、自らのスウィングを、他の人の助けを必要とすることなく、客観的に確認でき、効率よく、理想のスウィングフォームへ矯正することができるスウィング練習装置とその方法を提供することを目的とする。
さらに、遠隔地にいる指導者から、リアルタイムで、スウィングの指導を受けられるスウィング練習方法を提供することを、他の目的とする。
【課題を解決するための手段】
【０００５】
上記の目的を達成するために、本発明に係るスウィング練習装置は、練習者がゴルフクラブをスウィングする動作を撮影するカメラ部を有する画像入力装置と、該画像入力装置が撮影した映像を録画・再生する録画再生装置と、該録画再生装置の再生により上記練習者のスウィングの動作の画像を表示する画像表示装置と、ゴルフボール載置部の下方に設けられてゴルフボールの有無を感知する重さ感知センサと、を備え、該重さ感知センサが、上記ゴルフボールがショットされて上記載置部上から上記ゴルフボールが飛去されたことを感知してから所定秒後に、上記録画再生装置の録画が停止するように構成され、さらに、上記録画再生装置による録画を開始する録画スイッチと、再生スイッチと、撮影した画像をコマ送りにして分割表示するコマ送りスイッチと、撮影した画像を繰り返して表示するリピートスイッチと、を有し、かつ、上記練習者がスウィング練習する立ち位置の近傍に設置されると共に該練習者の上記ゴルフクラブのヘッドにて上記スイッチを択一的に選択する操作パネル体を、備えたものである。
【０００６】
また、練習者がゴルフクラブをスウィングする動作を撮影するカメラ部を有する画像入力装置と、該画像入力装置が撮影した映像を録画・再生する録画再生装置と、該録画再生装置の再生により上記練習者のスウィングの動作の画像を表示する画像表示装置と、を備え、さらに、上記録画再生装置による録画を開始する録画スイッチと、再生スイッチと、撮影した画像をコマ送りにして分割表示するコマ送りスイッチと、撮影した画像を繰り返して表示するリピートスイッチと、撮影した画像を音声画像送受信手段によって遠隔地にいる指導者に転送してスウィング矯正指導を仰ぐためのスクールスイッチと、を有し、かつ、上記練習者がスウィング練習する立ち位置の近傍に設置されると共に該練習者の上記ゴルフクラブのヘッドにて上記スイッチを択一的に選択する操作パネル体を、備え、上記画像表示装置には、上記音声画像送受信手段によって上記練習者側に送信された上記矯正指導の音声・画像が表示されるように構成したものである。
【０００７】
また、上記画像入力装置が、上記練習者を正面から撮影する正面撮影装置と、上記練習者を斜め横方向から撮影する斜め方向撮影装置と、上記載置部の正面に配設され上記ゴルフクラブのヘッドが上記ゴルフボールをショットする場面をアップして撮影するインパクト撮影装置とを、有する。
【０００８】
また、上記練習者の身長に応じて、上記画像入力装置が撮影した上記練習者を、上記画像表示装置のモニターの中央に適切なサイズで表示するように制御する出力画像自動調整装置を、備えている。
【０００９】
また、本発明に係るスウィング練習方法は、練習者の立ち位置の近傍に操作パネル体を配設し、握ったゴルフクラブのヘッドによる該操作パネル体の切換操作にて、画像入力装置のカメラ部をＯＮにし、上記ゴルフクラブのスウィング動作を撮影し、その映像を録画再生装置で録画し、ゴルフボール載置部の下方に設けられ該載置部上のゴルフボールの有無を感知する重さ感知センサにて、上記ゴルフボールがショットされて上記載置部上から該ゴルフボールが飛去されたことを感知させて、その所定秒後に上記録画再生装置の録画を停止し、その後、上記練習者の上記ゴルフクラブの上記ヘッドにて、上記操作パネル体の再生スイッチと、撮影した画像をコマ送りにして分割表示する該操作パネル体のコマ送りスイッチと、撮影した画像を繰り返して表示する該操作パネル体のリピートスイッチと、を操作し、上記練習者の立ち位置の近傍に設置された画像表示装置にて、スウィング動作を、確認するものである。
【００１０】
また、練習者の立ち位置の近傍に操作パネル体を配設し、握ったゴルフクラブのヘッドによる該操作パネル体の切換操作にて、画像入力装置のカメラ部をＯＮにし、上記ゴルフクラブのスウィング動作を撮影し、その映像を録画再生装置で録画し、録画停止後、上記練習者の上記ゴルフクラブの上記ヘッドにて、上記操作パネル体の再生スイッチと、撮影した画像をコマ送りにして分割表示する該操作パネル体のコマ送りスイッチと、撮影した画像を繰り返して表示する該操作パネル体のリピートスイッチと、を操作し、上記練習者の立ち位置の近傍に設置された画像表示装置にて、スウィング動作を、確認し、さらに、上記ヘッドによる上記操作パネル体の切換操作に伴い、音声画像送受信手段によって、遠隔地にいる指導者に、上記画像入力装置が撮影したスウィング動作の画像を送信すると共に、上記練習者に、上記指導者が行う矯正指導の音声・画像を送信して上記画像表示装置に表示する。
【発明の効果】
【００１１】
本発明は、次のような著大な効果を奏する。
練習者は、自分のスウィングを、画像入力装置で撮影し、すぐに、そのスウィング動作を画像表示装置で確認することができるので、効果的にスウィングの矯正を行うことができる。
しかも、練習者は、同じ立ち位置を移動することなく、構えた姿勢を崩さずに、ゴルフクラブのヘッドにて操作パネル体を操作できるので、一人で（他の人の助けを必要とせずに、）撮影、画像保存、再生（あるいは印刷等）を、容易、かつ、即時に行うことができ、練習効率が上昇する。
【００１２】
また、指導者が、練習者から離れた遠隔地にいても、練習者は、音声画像送受信手段によって、スウィング練習をしながら、リアルタイムで、指導者に観てもらい、そして、画像入力装置で、アドバイスや矯正指導を受けることができる。このように、指導者が、練習者の練習場所へ移動しなくても、指導を行うことが可能となる。
【発明を実施するための最良の形態】
【００１３】
以下、実施の形態を示す図面に基づき、本発明を詳説する。
図１，図２に示すように、本発明に係るスウィング練習装置は、練習者Ｕがゴルフクラブ１をスウィングする動作を撮影するカメラ部２を有する画像入力装置３と、画像入力装置３が撮影した映像を録画・再生する録画再生装置４と、録画再生装置４の再生により練習者Ｕのスウィングの動作の画像を表示する画像表示装置６と、を備える。
この練習装置は、家の庭等、広く、平坦な場所に設置されるのが望ましい。
【００１４】
画像入力装置３は、練習者Ｕがスウィング練習する立ち位置Ｐの正面に設置されて正面から撮影する正面撮影装置31と、練習者Ｕを斜め横方向から撮影する斜め方向撮影装置32と、を有する。
正面撮影装置31，斜め方向撮影装置32は、夫々、地面に立設された縦長状ケーシング35と、立ち位置Ｐに立った練習者Ｕの身長を判定して縦長ケーシング35内を上下動するカメラ部２と、を備える。
このカメラ部２は、前部に、練習者Ｕの身長を認識して判定すると共に位置確認をする身長認識センサ２ａを、有する、高速録画機能、及び、自動焦点あわせ機能付カメラである。
身長認識センサ２ａは、赤外線センサ，位置確認センサ等を有し、練習者Ｕの身長（背の高さ）を検知すると、カメラ部２は、ケーシング35内において、図示省略の昇降装置によって、最適な高さ位置に上下動する。
なお、図例では、斜め方向撮影装置32が、１台のみ設置されているが、前斜め方向や、後ろ斜め方向等から撮影する、複数台の撮影装置32…が、設置されてもよい。
【００１５】
また、画像入力装置３は、（立ち位置Ｐの正面近傍に設けられる）ゴルフボール載置部18の正面に配設され、ゴルフクラブ１のヘッド１ａがゴルフボール19をショットする場面をアップして撮影するインパクト撮影装置33を、有する。
インパクト撮影装置33は、地面Ｇ上に設置される小型箱体状ケーシング37内に収納される。
【００１６】
また、ゴルフボール載置部18は、常時、載置部18及び載置されるゴルフボール19を、同一方向から撮影するように、ケーシング37と連結棒体で連結されている。
また、ゴルフボール載置部18は、地面Ｇとの間に空間を有するように、配設されており、載置部18の下方に、載置部18上のゴルフボール19の有無を感知する重さ感知センサ７が、設けられている（図５参照）。
なお、重さ感知センサ７が、ゴルフボール載置部18の下方に、一体状に形成されてもよい。
【００１７】
録画再生装置４は、正面撮影装置31のケーシング35内の下方に設けられ、（後述する）一連の録画、保存、コマ送り出力、印刷、転送作業をスイッチの操作のみで連続操作可能とする、プログラムを組み込んだＩＣ基板を有するハードディスクを、備えている。
そして、録画再生装置４は、撮影装置31，32，33、及び、重さ感知センサ７と、夫々、ケーブル23…によって、電気的に接続される。あるいは、図示省略するが、録画再生装置４は、ケーシング内に収納されて、画像入力装置３…の近傍に、設置されてもよい。
【００１８】
また、スウィング練習装置は、立ち位置Ｐに立った練習者Ｕの身長を判定して、画像入力装置３が撮影した練習者Ｕの画像を、画像表示装置６のモニター５の中央に適切なサイズに絞り込んで表示する出力画像自動調整装置８を、備えている。
出力画像自動調整装置８は、練習者Ｕの身長にあわせて、画像の出力領域の大きさを換えるソフトを、ＩＣチップ上に内蔵したもので、夫々の画像入力装置３…内に、収納される。
【００１９】
また、立ち位置Ｐの近傍に、録画再生装置４の録画開始，再生等を、練習者Ｕのゴルフクラブ１のヘッド１ａにて択一的に選択する操作パネル体９が、設置され、操作パネル体９は、録画再生装置４に、ケーブル23によって、電気的に接続される。
操作パネル体９は、細長帯板形状の本体部の上面に、ゴルフクラブ１のヘッド１ａにて押して操作可能な大きさ（広さ）を有する複数の操作スイッチ盤10…が、並列状に設けられたものである。
具体的には、操作スイッチ盤10…は、図３に示すように、録画スイッチ11，再生スイッチ12，コマ送りスイッチ13，リピートスイッチ14，転送スイッチ15，スクールスイッチ16，印刷スイッチ17を、有する。
【００２０】
コマ送りスイッチ13は、撮影した画像を、画像表示装置６のモニター５に、コマ送りにして分割表示するためのものである。また、リピートスイッチ14は、撮影した画像を、繰り返して表示するためのものである。また、印刷スイッチ17は、コマ送り画像を、図示省略の印刷機で、紙に印刷するためのものである。
転送スイッチ15は、（後述するように、）撮影した画像を、電子メールで転送可能な画像方式に自動変換し、インターネットサーバーを通じて、インターネット経由で、自分の電子メールアドレス（携帯電話メールも含む）に転送するためのものである。そして、後で、家のパソコン等で、自分のスウィング動作を、確認できる。
さらに、スクールスイッチ16は、撮影した画像を、遠隔地にいる指導者Ｔに転送し、スウィング矯正指導を仰ぐためのものである。なお、モニター５は、液晶パネルから成るのが望ましい。
【００２１】
そして、スクールスイッチ16による転送を可能とするために、図１，図６に於て、スウィング練習装置は、画像入力装置３が撮影したスウィング動作の画像を、遠隔地にいる指導者Ｔ側に送信すると共に、指導者Ｔが行う矯正指導の音声・画像を、練習者Ｕ側に送信する音声画像送受信手段20が、備えられる。
具体的には、音声画像送受信手段20は、録画再生装置４に取り付けられ撮影した画像を送信するアンテナ21と、画像・音声を送信する通信網22と、を有する。通信網22は、例えば、電話回線である。
遠隔地にいる指導者Ｔの近傍に、（練習者Ｕ側に設けられたものと同様の）画像表示装置６，画像入力装置３，送受信用アンテナ等が、設けられ、指導者Ｔは、画像入力装置３で、練習者Ｕのスウィング動作を観て、電話回線を通じて、アドバイスを与える。
【００２２】
さらに、練習者Ｕと指導者Ｔとの間で、画像・音声の交換を同時に行うことを可能にする双方向画像音声交換手段25を、設けてもよい。この双方向画像音声交換手段25によって、練習者Ｕを撮影した画像，音声が、アンテナ21から、通信網22を介して、指導者Ｔ側のアンテナで受信され、指導者Ｔ側の画像表示装置６に表示される。かつ、それを観た指導者Ｔが、スウィング等の矯正指導を撮影し、その画像，音声が、電話回線等の通信網22を介して、練習者Ｕ側のアンテナ21で受信され、画像表示装置６に表示される。
【００２３】
次に、本発明のスウィング練習装置の使用方法について説明する。
先ず、図１，図２に於て、練習者Ｕは、載置部18にゴルフボール19を載置（セット）し、立ち位置Ｐに立ち、ゴルフクラブ１のヘッド１ａにて、操作パネル体９の録画スイッチ11を押す。
すると、正面撮影装置31，斜め方向撮影装置32のカメラ部２…が、ＯＮとなって、身長認識センサ２ａによって、練習者Ｕの身長，立ち位置に応じて、練習者Ｕを、画像の中央で、適切なサイズでとらえて、録画を開始する。かつ、インパクト撮影装置33が、クラブ１のヘッド１ａがボール19をショットする場面を、アップして撮影を開始する。
【００２４】
そして、ボール19がショットされて、載置部18の下方の重さ感知センサ７が、ボール19が載置部18から飛去したことを感知すると、制御信号が、感知センサ７から、ケーブル23を介して、録画再生装置４に送信されて、所定秒後に、録画が停止する。
そして、ゴルフクラブ１のヘッド１ａにて、操作パネル体９の再生スイッチ12を押すと、画像表示装置６に、スウィング動作の画像が表示される。
所望により、コマ送りスイッチ13を押して、画像表示装置６に、スウィング動作をコマ送りした画像を表示したり、リピートスイッチ14を押して、繰り返し表示する。
また、印刷スイッチ17を押すと、図示省略の印刷機によって、紙に、コマ送り画像が印刷され、スウィング動作を、確認できる。
【００２５】
図示省略するが、操作パネル体９に、画像表示装置６の表示を、夫々の画像入力装置３…に、切換える操作スイッチ盤10…を、設ける。
これにより、画像表示装置６に、撮影装置33で撮影したゴルフクラブ１のヘッド１ａがゴルフボール19をショットする場面のアップ表示（図４参照）と、正面からのスウィング画像と、様々な斜め方向からのスウィング画像と、を択一的に選択して表示することができる。
【００２６】
また、録画停止後に、クラブ１のヘッド１ａで転送スイッチ15を押すと、録画した画像，音声のデータが、電子メールで転送可能な画像方式に変換され、インターネットサーバーを通じて、インターネット経由で、自分の電子メールアドレスに転送され、家のパソコン等で、自分のスウィング動作を確認することができる。
【００２７】
また、録画停止後に、クラブ１のヘッド１ａでスクールスイッチ16を押すと、録画したスウィング画像が、練習者Ｕ側の録画再生装置４から、通信網22を介して、遠隔地にいる指導者Ｔ側の画像表示装置６に表示される（図６参照）。
そして、双方向画像音声交換手段25によって、練習者Ｕのスウィング画像を観た指導者Ｔは、画像入力装置３で、自分のスウィング動作及び音声指導を撮影・収録し、通信網22を介して、練習者Ｕ側へ送信して、画像表示装置６に表示される。練習者Ｕは、画像表示装置６の画像を観ると共に、アドバイスを聴いて、自分のスウィングの向上を図る。
このように、互いに遠隔地同士に居る練習者Ｕと指導者Ｔの間で、音声画像送受信手段20によって、リアルタイムでのスウィングの指導が可能となる。
なお、複数の練習者Ｕ…が、通信網22に接続することで、一人の指導者Ｔが、複数の練習者Ｕ…に、同時に、スウィングの指導を行うことができる。
また、所望により、プリペイドカード式の課金装置を、設けてもよい。
【００２８】
以上のように、本発明に係るスウィング練習装置は、練習者Ｕがゴルフクラブ１をスウィングする動作を撮影するカメラ部２を有する画像入力装置３と、画像入力装置３が撮影した映像を録画・再生する録画再生装置４と、録画再生装置４の再生により練習者Ｕのスウィングの動作の画像を表示する画像表示装置６と、ゴルフボール載置部18の下方に設けられてゴルフボール19の有無を感知する重さ感知センサ７と、を備え、重さ感知センサ７が、ゴルフボール19がショットされて載置部18上からゴルフボール19が飛去されたことを感知してから所定秒後に、録画再生装置４の録画が停止するように構成され、さらに、録画再生装置４による録画を開始する録画スイッチ11と、再生スイッチ12と、撮影した画像をコマ送りにして分割表示するコマ送りスイッチ13と、撮影した画像を繰り返して表示するリピートスイッチ14と、を有し、かつ、練習者Ｕがスウィング練習する立ち位置Ｐの近傍に設置されると共に練習者Ｕのゴルフクラブ１のヘッド１ａにてスイッチを択一的に選択する操作パネル体９を、備えるので、練習者Ｕは、自分のスウィングを、画像入力装置３で撮影し、すぐに、そのスウィング動作を画像表示装置６で確認することができ、効果的にスウィングの矯正を行うことができる。
しかも、練習者Ｕは、同じ立ち位置Ｐを移動することなく、構えた姿勢を崩さずに、ゴルフクラブ１のヘッド１ａにて操作パネル体９を操作できるので、一人で（他の人の助けを必要とせず、）撮影、画像保存、再生、リピート、コマ送り（あるいは印刷等）を、容易、かつ、即時に行うことができ、練習効率が上昇する。
【００２９】
また、アドレスに入ってから、スウィング動作が完全に終了するまでを、確実に録画することができる。しかも、その録画が自動的に停止するので、わざわざ操作して録画を停止させる必要がなく、手間が掛からない。
【００３０】
また、練習者Ｕがゴルフクラブ１をスウィングする動作を撮影するカメラ部２を有する画像入力装置３と、画像入力装置３が撮影した映像を録画・再生する録画再生装置４と、録画再生装置４の再生により練習者Ｕのスウィングの動作の画像を表示する画像表示装置６と、を備え、さらに、録画再生装置４による録画を開始する録画スイッチ11と、再生スイッチ12と、撮影した画像をコマ送りにして分割表示するコマ送りスイッチ13と、撮影した画像を繰り返して表示するリピートスイッチ14と、撮影した画像を音声画像送受信手段20によって遠隔地にいる指導者Ｔに転送してスウィング矯正指導を仰ぐためのスクールスイッチ16と、を有し、かつ、練習者Ｕがスウィング練習する立ち位置Ｐの近傍に設置されると共に練習者Ｕのゴルフクラブ１のヘッド１ａにてスイッチを択一的に選択する操作パネル体９を、備え、画像表示装置６には、音声画像送受信手段20によって練習者Ｕ側に送信された矯正指導の音声・画像が表示されるように構成したので、指導者Ｔが、練習者Ｕから離れた遠隔地にいても、練習者Ｕは、スウィング練習をしながら、リアルタイムで、指導者Ｔに観てもらい、そして、画像入力装置３で、アドバイスや矯正指導を受けることができる。このように、指導者Ｔが、練習者Ｕの練習場所へ移動しなくても、指導を行うことが可能となる。
しかも、練習者Ｕは、同じ立ち位置Ｐを移動することなく、構えた姿勢を崩さずに、ゴルフクラブ１のヘッド１ａにて操作パネル体９を操作できるので、一人で（他の人の助けを必要とせず、）撮影、画像保存、再生、リピート、コマ送り、撮影した画像の転送等を、容易、かつ、即時に行うことができ、練習効率が上昇する。
【００３１】
また、画像入力装置３が、練習者Ｕを正面から撮影する正面撮影装置31と、練習者Ｕを斜め横方向から撮影する斜め方向撮影装置32と、載置部18の正面に配設されゴルフクラブ１のヘッド１ａがゴルフボール19をショットする場面をアップして撮影するインパクト撮影装置33とを、有するので、スウィング動作を、正面、斜め方向、その他の方向から、同時に撮影することができ、スウィング動作が正しい姿勢で実施されているかどうかを、多面的に解析することが可能となる。よって、練習者Ｕが、自分のスウィングのイメージを捕らえ易くなり、スウィングの矯正が、効果的に行われるようになる。
さらに、ゴルフクラブ１のヘッド１ａが、ゴルフボール19に正しい角度・高さでショットしているのかも、確認することができ、一層のスウィング動作の矯正を図り得る。
【００３２】
また、スウィング練習装置は、練習者Ｕの身長に応じて、画像入力装置３が撮影した練習者Ｕを、画像表示装置６のモニター５の中央に適切なサイズで表示するように制御する出力画像自動調整装置８を、備えているので、スウィングする練習者Ｕを、常に、画像表示装置６のモニター５の中央に表示することが可能となり、最適な画像状態で閲覧・確認することができ、正しいスウィングの矯正を、効率よく行うことができる。
【００３３】
また、本発明に係るスウィング練習方法は、練習者Ｕの立ち位置Ｐの近傍に操作パネル体９を配設し、握ったゴルフクラブ１のヘッド１ａによる操作パネル体９の切換操作にて、画像入力装置３のカメラ部２をＯＮにし、ゴルフクラブ１のスウィング動作を撮影し、その映像を録画再生装置４で録画し、ゴルフボール載置部18の下方に設けられ載置部18上のゴルフボール19の有無を感知する重さ感知センサ７にて、ゴルフボール19がショットされて載置部18上からゴルフボール19が飛去されたことを感知させて、その所定秒後に録画再生装置４の録画を停止し、その後、練習者Ｕのゴルフクラブ１のヘッド１ａにて、操作パネル体９の再生スイッチ12と、撮影した画像をコマ送りにして分割表示する操作パネル体９のコマ送りスイッチ13と、撮影した画像を繰り返して表示する操作パネル体９のリピートスイッチ14と、を操作し、練習者Ｕの立ち位置Ｐの近傍に設置された画像表示装置（６にて、スウィング動作を、確認するものなので、練習者Ｕは、自分のスウィングを、画像入力装置３で撮影し、その画像を、すぐに、画像表示装置６で確認することができ、効果的にスウィングの矯正を行うことができる。
しかも、練習者Ｕは、同じ立ち位置Ｐを移動することなく、構えた姿勢を崩さずに、ゴルフクラブ１のヘッド１ａにて操作パネル体９を操作できるので、一人で、撮影、画像保存、再生、リピート、コマ送り、（あるいは印刷等）を、容易、かつ、即時に行うことができる。
【００３４】
また、アドレスに入ってから、スウィング動作が完全に終了するまでを、確実に録画することができる。しかも、その録画が自動的に停止するので、わざわざ操作して録画を停止させる必要がなく、手間が掛からない。
【００３５】
さらに、練習者Ｕの立ち位置Ｐの近傍に操作パネル体９を配設し、握ったゴルフクラブ１のヘッド１ａによる操作パネル体９の切換操作にて、画像入力装置３のカメラ部２をＯＮにし、ゴルフクラブ１のスウィング動作を撮影し、その映像を録画再生装置４で録画し、録画停止後、練習者Ｕのゴルフクラブ１のヘッド１ａにて、操作パネル体９の再生スイッチ12と、撮影した画像をコマ送りにして分割表示する操作パネル体９のコマ送りスイッチ13と、撮影した画像を繰り返して表示する操作パネル体９のリピートスイッチ14と、を操作し、練習者Ｕの立ち位置Ｐの近傍に設置された画像表示装置６にて、スウィング動作を、確認し、さらに、ヘッド１ａによる操作パネル体９の切換操作に伴い、音声画像送受信手段20によって、遠隔地にいる指導者Ｔに、画像入力装置３が撮影したスウィング動作の画像を送信すると共に、練習者Ｕに、指導者Ｔが行う矯正指導の音声・画像を送信して画像表示装置６に表示するので、指導者Ｔが、練習者Ｕから離れた遠隔地にいても、練習者Ｕは、スウィング練習をしながら、リアルタイムで、指導者Ｔに観てもらい、そして、画像入力装置３で、アドバイスや矯正指導を受けることができる。このように、指導者Ｔが、練習者Ｕの練習場所へ移動しなくても、指導を行うことが可能となる。
しかも、練習者Ｕは、同じ立ち位置Ｐを移動することなく、構えた姿勢を崩さずに、ゴルフクラブ１のヘッド１ａにて操作パネル体９を操作できるので、一人で（他の人の助けを必要とせず、）撮影、画像保存、再生、リピート、コマ送り、撮影した画像の転送等を、容易、かつ、即時に行うことができ、練習効率が上昇する。
【図面の簡単な説明】
【００３６】
【図１】本発明に係るスウィング練習装置の実施の一形態を示す斜視図である。
【図２】平面図である。
【図３】操作パネル体を示す要部斜視図である。
【図４】画像表示装置を示す要部拡大説明図である。
【図５】要部側面図である。
【図６】説明用斜視図である。
【符号の説明】
【００３７】
１  ゴルフクラブ
１ａ  ヘッド
２  カメラ部
３  画像入力装置
４  録画再生装置
５  モニター
６  画像表示装置
７  感知センサ
８  出力画像自動調整装置
９  操作パネル体
11  録画スイッチ
12  再生スイッチ
13  コマ送りスイッチ
14  リピートスイッチ
18  載置部
19  ゴルフボール
20  音声画像送受信手段
31  正面撮影装置
32  斜め方向撮影装置
33  インパクト撮影装置
Ｐ  立ち位置
Ｔ  指導者
Ｕ  練習者